(57)【要約】【課題】容器内の液体の詰め替え作業において、液体により周囲が汚染されることを抑制しつつ、作業性を向上させることを可能にする。【解決手段】内部に液体８が収容される容器本体１１及び容器本体１１に装着され容器本体１１の口部１１０の開口を覆う計量キャップ１３を備える容器であって、計量キャップ１３は、容器本体１１の内部の液体８に浸漬される浸漬管９と接続されており、容器本体１１の口部１１０には、浸漬管９が固定されている固定部材１５が止着されており、計量キャップ１３が容器本体１１から取り外された状態において、浸漬管９は容器本体１１に固定部材１５を介して取り付けられている、容器１。【選択図】図１
2020029286.tif 000002
【特許請求の範囲】
【請求項１】
内部に液体が収容される容器本体及び前記容器本体に装着され前記容器本体の口部の開口を覆う装着具を備える容器であって、
前記装着具は、前記容器本体の内部の前記液体に浸漬される浸漬管と接続されており、
前記容器本体の前記口部には、前記浸漬管が固定されている固定部材が止着されており、
前記装着具が前記容器本体から取り外された状態において、前記浸漬管は前記容器本体に前記固定部材を介して取り付けられている、容器。
【請求項２】
前記固定部材には、前記容器本体の内部における底部側の空間と外部の空間とを連通する連通孔が、前記浸漬管が嵌合される孔とは別に、形成されている、請求項１に記載の容器。
【請求項３】
前記固定部材は、
前記容器本体の前記口部に嵌合されて固定されている口部固定部と、
前記浸漬管が貫通して固定されている浸漬管固定部と、
前記口部固定部と前記浸漬管固定部とを接続する接続部と、
を有し、
前記連通孔は、前記口部固定部と前記浸漬管固定部との間に、前記接続部により区画されて形成されている、請求項２に記載の容器。
【請求項４】
前記固定部材は、前記容器本体の前記口部の外周部に嵌合されて固定されている口部固定部を有し、
前記口部固定部の外周部には、オネジ部が形成されている、請求項１〜３のいずれか一項に記載の容器。
【請求項５】
前記浸漬管は、前記固定部材によって前記容器本体の前記口部の中心軸上に固定されている、請求項１〜４のいずれか一項に記載の容器。
【発明の詳細な説明】
【技術分野】
【０００１】
本発明は、容器に関する。
【背景技術】
【０００２】
従来、液体が収容される容器本体及び当該容器本体に装着され当該容器本体の口部の開口を覆う装着具を備える容器が広く利用されている。例えば、容器本体の内部から液体を計量して注出可能な計量キャップ又は容器本体の内部の液体を吸引して吐出するディスペンサ等の装着具が容器本体に装着される。このような容器内の液体の詰め替え作業は、装着具を容器本体から取り外し、装着具が取り外された容器本体の口部から新しい液体を注入することによって行われる。
【０００３】
ここで、装着具として、容器本体の内部の液体に浸漬される浸漬管と接続されているものがある。容器内の液体の詰め替え作業において、このような装着具を容器本体から取り外す際に浸漬管が装着具とともに容器本体から取り外されることに起因して、容器本体の周囲が液体により汚染される場合があった。例えば、取り外された装着具が置かれる場所やユーザの手指等に浸漬管を介して液体が付着する場合があった。
【０００４】
そこで、容器内の液体の詰め替え作業において、液体により周囲が汚染されることを抑制するための技術が提案されている。例えば、特許文献１では、容器本体の口部に係止可能な係止具をディスペンサに設けることによって、容器内の液体の詰め替え作業の際にディスペンサを容器本体の口部に係止することを可能とし、ディスペンサを上方には引き上げるものの完全には容器から取り外さずに液体を詰め替える技術が開示されている。
【先行技術文献】
【特許文献】
【０００５】
【特許文献１】特開平１１−７９２２３号公報
【発明の概要】
【発明が解決しようとする課題】
【０００６】
ところで、装着具を備える容器に関する分野において、さらに、容器内の液体の詰め替え作業における作業性を向上させることが望まれている。例えば、特許文献１に開示されている技術では、容器内の液体の詰め替え作業において、ディスペンサが容器本体の口部に係止され口部の近傍に位置している状態で容器本体の口部から新しい液体を注入する必要があることに起因して、詰め替え作業を円滑に行うことが困難となり得る。
【０００７】
そこで、本発明は、容器内の液体の詰め替え作業において、液体により周囲が汚染されることを抑制しつつ、作業性を向上させることに関する。
【課題を解決するための手段】
【０００８】
上記課題を解決するために、本発明のある観点は、内部に液体が収容される容器本体及び当該容器本体に装着され当該容器本体の口部の開口を覆う装着具を備える容器であって、当該装着具は、当該容器本体の内部の当該液体に浸漬される浸漬管と接続されており、当該容器本体の当該口部には、当該浸漬管が固定されている固定部材が止着されており、当該装着具が当該容器本体から取り外された状態において、当該浸漬管は当該容器本体に当該固定部材を介して取り付けられている、容器に関する。
【発明の効果】
【０００９】
以上説明したように本発明の容器によれば、容器内の液体の詰め替え作業において、液体により周囲が汚染されることを抑制しつつ、作業性を向上させることができる。
【図面の簡単な説明】
【００１０】
【図１】本発明の第１の実施形態に係る容器を示す側面断面図である。
【図２】同実施形態に係る容器を示す側面部分断面図である。
【図３】同実施形態に係る固定部材を示す上面図である。
【図４】計量キャップが容器本体から取り外れた状態における同実施形態に係る容器を示す側面部分断面図である。
【図５】本発明の第２の実施形態に係る容器を示す側面部分断面図である。
【図６】本発明の第３の実施形態に係る容器を示す側面部分断面図である。
【図７】ディスペンサが容器本体から取り外れた状態における同実施形態に係る容器を示す側面部分断面図である。
【発明を実施するための形態】
【００１１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１２】
本発明の実施形態は、容器に関する。具体的には、本発明の各実施形態に係る容器１，２，３は、液体が収容される容器本体及び当該容器本体の口部に装着され当該口部の開口を覆う装着具を備える容器である。
【００１３】
＜第１の実施形態＞
図１〜図４を参照して、本発明の第１の実施形態に係る容器１について説明する。
【００１４】
［構成］
まず、図１〜図３を参照して、本発明の第１の実施形態に係る容器１の構成について説明する。
【００１５】
図１及び図２は、それぞれ容器１を示す側面断面図及び側面部分断面図である。図３は、容器１の固定部材１５を示す上面図である。
【００１６】
なお、本明細書では、各実施形態に係る容器１，２，３の説明において、理解を容易にするために、容器本体（具体的には、後述する容器本体１１，２１）から装着具（具体的には、後述する計量キャップ１３又はディスペンサ３３）に向かう方向を上方向と呼ぶ。ここで、容器１，２，３はユーザに利用される際に種々の姿勢を取り得るので、容器本体から装着具に向かう方向は必ずしも鉛直上方向を意味するものではない。なお、図１、図２及び図４〜図７では、装着具が容器本体に対して鉛直上方に位置する姿勢で容器１，２，３が示されている。
【００１７】
図１に示すように、容器１は、容器本体１１と、計量キャップ１３とを備える。また、容器１では、計量キャップ１３は容器本体１１の内部の液体８に浸漬される浸漬管９と接続されており、容器本体１１の口部１１０には浸漬管９が固定されている固定部材１５が止着されている。計量キャップ１３が容器本体１１から取り外された状態において、浸漬管９は容器本体１１に固定部材１５を介して取り付けられている。計量キャップ１３は、容器本体１１に装着され容器本体１１の口部１１０の開口を覆う装着具の一例に相当する。
【００１８】
容器本体１１は、口部１１０を有する中空形状の部材である。容器本体１１の内部には、液体８が収容される。液体８としては、種々の液体が適用され得るが、例えば、液体洗剤（衣料用）、柔軟剤、漂白剤、入浴剤、シャンプー液、リンス液、化粧液、薬剤又は調味料等が適用される。口部１１０は、容器本体１１の上端部に設けられており、当該口部１１０に固定部材１５が止着されている。
【００１９】
固定部材１５は、容器本体１１の口部１１０に止着されており、当該固定部材１５には浸漬管９が固定されている。具体的には、容器１では、固定部材１５は、容器本体１１の口部１１０の外周部に嵌合されて固定されている。
【００２０】
固定部材１５は、具体的には、図２及び図３に示すように、口部固定部１５０と、浸漬管固定部１６０と、接続部１７０とを有する。
【００２１】
口部固定部１５０は、容器本体１１の口部１１０に嵌合されて固定されている。具体的には、口部固定部１５０は、容器本体１１の口部１１０の外周部に嵌合されて固定されている。
【００２２】
また、本実施形態では、口部固定部１５０の外周部には、オネジ部が形成されており、当該オネジ部に計量キャップ１３の取付部１３６が螺合されて取り付けられる。それにより、計量キャップ１３が固定部材１５を介して容器本体１１に装着される。このように、容器本体１１に計量キャップ１３等の装着具を適切に装着する観点では、口部固定部１５０の外周部にオネジ部が形成されていることが好ましい。
【００２３】
口部固定部１５０は、具体的には、図２及び図３に示すように、第１円筒部１５１と、環状平板部１５２と、第２円筒部１５３とを含む。
【００２４】
第１円筒部１５１は、略円筒形状を有しており、口部１１０の外周部に嵌合されて固定されている。具体的には、口部１１０の外周部には、口部１１０の径方向外側に突設されている部分である図示しない複数のリブが設けられており、第１円筒部１５１は当該複数のリブと当接して固定されている。それにより、第１円筒部１５１が口部１１０の外周部に嵌合されて固定される。なお、当該リブの数及び口部１１０の外周部における当該リブの配置は、特に限定されない。第１円筒部１５１の外周部は口部固定部１５０の外周部に相当し、第１円筒部１５１の外周部にオネジ部が形成されている。そして、当該オネジ部に計量キャップ１３の取付部１３６が螺合されて取り付けられる。環状平板部１５２は、環状の略平板形状を有しており、第１円筒部１５１の上端部から口部１１０の上端部より内側までに亘って延在している。第２円筒部１５３は、略円筒形状を有しており、環状平板部１５２の内周部から下方に延在し、口部１１０の内側に位置している。
【００２５】
浸漬管固定部１６０には、浸漬管９が貫通して固定されている。具体的には、浸漬管固定部１６０は、中央に貫通孔が形成されている環状の略平板形状を有しており、口部１１０の径方向において口部１１０より内側に位置する。浸漬管９は、浸漬管固定部１６０の内周部を貫通した状態で当該浸漬管固定部１６０の内周部に嵌合されて固定されている。浸漬管固定部１６０は、容器本体１１の内部に位置している。
【００２６】
具体的には、図３に示すように、浸漬管固定部１６０の内周部には浸漬管固定部１６０の径方向内側に突設されている部分である複数のリブ１６１が設けられており、浸漬管９は当該複数のリブ１６１と当接して固定されている。それにより、浸漬管９が浸漬管固定部１６０の内周部に嵌合されて固定される。複数のリブ１６１は、浸漬管固定部１６０の周方向に間隔を空けて設けられている。なお、図３では、浸漬管固定部１６０の内周部において、３個のリブ１６１が設けられている例が示されているが、リブ１６１の数は、特に限定されず、１個又は２個であってもよく、４個以上であってもよい。また、浸漬管固定部１６０の内周部におけるリブ１６１の配置は、特に限定されない。
【００２７】
なお、浸漬管９は、リブを用いた方法以外の方法によって固定部材１５に固定されていてもよい。例えば、浸漬管９は、接着剤により浸漬管固定部１６０に接着されることによって、固定部材１５に固定されていてもよい。また、例えば、浸漬管９は、固定部材１５と一体成形されていてもよい。
【００２８】
浸漬管固定部１６０は、具体的には、口部固定部１５０と同軸上に配置されており（つまり、浸漬管固定部１６０の中心軸と口部固定部１５０の中心軸とが一致しており）、容器本体１１の口部１１０の中心軸上に配置されている。ゆえに、浸漬管９は、容器本体１１の口部１１０の中心軸上に固定されている。後述するように、計量キャップ１３を容器本体１１に装着する際、連通部１３３に浸漬管９が挿入された状態で計量キャップ１３の取付部１３６が口部固定部１５０のオネジ部に螺合される。ゆえに、連通部１３３を取付部１３６の中心軸上に配置することによって、容器本体１１に計量キャップ１３等の装着具を螺合することにより適切に装着することができる。このように、容器本体１１に計量キャップ１３等の装着具を適切に装着する観点では、浸漬管９は固定部材１５によって容器本体１１の口部１１０の中心軸上に固定されていることが好ましい。
【００２９】
接続部１７０は、口部固定部１５０と浸漬管固定部１６０とを接続する。具体的には、接続部１７０は、棒形状を有しており、接続部１７０の横断面形状は、円形、楕円形又は多角形等の種々の形状をとり得る。接続部１７０の一端部は口部固定部１５０の第２円筒部１５３の下端部と連接されており、接続部１７０の他端部は浸漬管固定部１６０の外周部と接続されている。
【００３０】
具体的には、図３に示すように、口部固定部１５０と浸漬管固定部１６０とは、複数の接続部１７０によって接続されており、複数の接続部１７０は、浸漬管固定部１６０の周方向に間隔を空けて設けられている。なお、図３では、口部固定部１５０と浸漬管固定部１６０との間において、３個の接続部１７０が設けられている例が示されているが、接続部１７０の数は、特に限定されず、１個又は２個であってもよく、４個以上であってもよい。
【００３１】
容器１では、固定部材１５には、容器本体１１の内部における底部側の空間と外部の空間とを連通する連通孔１９０が、浸漬管９が嵌合される孔（具体的には、浸漬管固定部１６０の中央に形成されている貫通孔）とは別に、形成されている。具体的には、連通孔１９０は、図３に示すように、口部固定部１５０と浸漬管固定部１６０との間に、接続部１７０により区画されて形成されている。なお、図３では、固定部材１５において、３個の連通孔１９０が形成されている例が示されているが、連通孔１９０の数は、特に限定されず、１個又は２個であってもよく、４個以上であってもよい。また、連通孔１９０の形状は、図３に示す例に特に限定されない。
【００３２】
後述するように、容器１内の液体８の詰め替え作業において、新しい液体８を容器本体１１の内部に連通孔１９０を介して注入することができる。ゆえに、液体８の詰め替え作業の作業性を効果的に向上させる観点では、固定部材１５に連通孔１９０が形成されていることが好ましい。また、連通孔１９０をより広くすることにより液体８の詰め替え作業の作業性をより効果的に向上させる観点では、口部固定部１５０と浸漬管固定部１６０との間に、接続部１７０により区画されて連通孔１９０が形成されていることがより好ましい。
【００３３】
計量キャップ１３は、容器本体１１の内部に収容されている液体８を計量して注出可能な装着具である。
【００３４】
計量キャップ１３は、具体的には、図２に示すように、容器本体１１に装着されるキャップ本体１３０と、キャップ本体１３０の注出口５３を覆う蓋体１４０とを有する。
【００３５】
キャップ本体１３０は、図２に示すように、底壁部１３１と、周壁部１３２と、連通部１３３と、天板部１３４と、注出口部１３５と、取付部１３６とを有する。
【００３６】
容器１では、容器本体１１が指等により押圧される（つまり、容器本体１１がスクイズされる）ことによって、容器本体１１の内部の液体８が浸漬管９及びキャップ本体１３０の連通部１３３を介して供給されて計量される。キャップ本体１３０では、容器本体１１の内部から供給される液体８を貯留して計量する計量空間５１が底壁部１３１、周壁部１３２及び連通部１３３の第１筒状部１３３ａによって画成される。計量空間５１に貯留された液体８は、注出口部１３５の開口である注出口５３から注出される。
【００３７】
具体的には、キャップ本体１３０は、第１部材６１及び第２部材６２によって形成されている。キャップ本体１３０における底壁部１３１、周壁部１３２、連通部１３３及び取付部１３６は第１部材６１によって形成されており、キャップ本体１３０における天板部１３４及び注出口部１３５は第２部材６２によって形成されている。
【００３８】
底壁部１３１は、容器本体１１の口部１１０の開口を覆う。具体的には、底壁部１３１は、容器本体１１の口部１１０の開口に沿って延在し、略円板形状を有する。
【００３９】
周壁部１３２は、底壁部１３１の周縁部に沿って底壁部１３１から容器本体１１と逆側に向けて突設される。具体的には、周壁部１３２は、略円筒形状を有しており、上端に開口を有している。
【００４０】
取付部１３６は、底壁部１３１の周縁部から容器本体１１側に向けて突設され、容器本体１１に取り付けられる。具体的には、取付部１３６は、略円筒形状を有しており、下端に開口を有している。そして、取付部１３６の内周部にはメネジ部が形成されており、当該メネジ部が固定部材１５の口部固定部１５０の外周部のオネジ部に螺合されることによって、計量キャップ１３が固定部材１５を介して容器本体１１に装着される。
【００４１】
連通部１３３は、第１筒状部１３３ａ及び第２筒状部１３３ｂを有し、容器本体１１の内部と底壁部１３１に対して容器本体１１と逆側の空間とを連通する。連通部１３３は、容器本体１１のスクイズ時において、容器本体１１の内部から供給される液体８が通過する部分である。
【００４２】
第１筒状部１３３ａは、底壁部１３１から容器本体１１と逆側に向けて突設される。具体的には、第１筒状部１３３ａは、略円筒形状を有しており、周壁部１３２の内側において周壁部１３２と同軸上に配置される。第１筒状部１３３ａの先端部における側部には、液体８の吐出口５２が形成されている。また、第１筒状部１３３ａの先端部には、第１筒状部１３３ａの突設方向と交差する方向に延在する天板５９が形成されている。吐出口５２は、スクイズ時に浸漬管９及びキャップ本体１３０の連通部１３３を介して供給された液体８を計量空間５１に向けて吐出する開口である。
【００４３】
計量空間５１は、上述した底壁部１３１、周壁部１３２及び第１筒状部１３３ａによって画成される。具体的には、計量空間５１は、底壁部１３１の上部、周壁部１３２の内周部及び第１筒状部１３３ａの外周部によって画成される空間である。
【００４４】
第２筒状部１３３ｂは、底壁部１３１から容器本体１１側に向けて突設される。具体的には、第２筒状部１３３ｂは、略円筒形状を有しており、取付部１３６の内側において取付部１３６と同軸上に配置される。また、第２筒状部１３３ｂは、第１筒状部１３３ａと同軸上に配置される。浸漬管９の上端部は、第２筒状部１３３ｂの先端（つまり下端）の開口から挿通されて連通部１３３に挿入される。
【００４５】
天板部１３４は、周壁部１３２の開口を覆う。具体的には、天板部１３４は、周壁部１３２の開口に沿って延在し、略円板形状を有する。天板部１３４を形成する第２部材６２の下面には第２部材６２の周縁部に沿って凹部が凹設されており、当該凹部が周壁部１３２の上端部と嵌合することによって、周壁部１３２の開口が覆われる。
【００４６】
注出口部１３５は、天板部１３４から容器本体１１と逆側に向けて突設される。具体的には、注出口部１３５は、略円筒形状を有しており、天板部１３４の中央側から上方に向けて突設される。注出口部１３５は、計量空間５１と天板部１３４に対して計量空間５１と逆側の空間とを連通する。注出口部１３５の先端（つまり上端）の開口が、液体８の注出口５３に相当する。
【００４７】
蓋体１４０は、キャップ本体１３０の注出口５３を覆う。具体的には、蓋体１４０は、一側に底部を有する略円筒形状を有しており、ヒンジを介してキャップ本体１３０と接続されており、キャップ本体１３０に対して当該ヒンジを中心に回動可能となっている。蓋体１４０を回動させることによって、図２で実線によって示すように蓋体１４０が閉じた状態（つまり、注出口５３が蓋体１４０により覆われた状態）と、図２で二点鎖線によって示すように蓋体１４０が開いた状態（つまり、注出口５３が露出された状態）とを遷移させることができる。
【００４８】
蓋体１４０は、具体的には、図２に示すように、第１嵌合部１４１と、第２嵌合部１４２と、突出部１４３とを備える。
【００４９】
第１嵌合部１４１は、第１筒状部１３３ａに嵌合され、吐出口５２をシールする。具体的には、第１嵌合部１４１は、略円筒形状を有しており、蓋体１４０の底部の内面における中央側から突設される。また、第１嵌合部１４１は、蓋体１４０が閉じた状態において、第１筒状部１３３ａの先端部（つまり、上端部）の外周部に嵌合される。それにより、吐出口５２が第１嵌合部１４１の内周部によりシールされる。
【００５０】
第２嵌合部１４２は、注出口部１３５に嵌合され、注出口５３をシールする。具体的には、第２嵌合部１４２は、略円筒形状を有しており、蓋体１４０の底部の内面における第１嵌合部１４１より外周側から突設される。また、第２嵌合部１４２は、蓋体１４０が閉じた状態において、注出口部１３５の内周部に嵌合される。それにより、注出口５３が第２嵌合部１４２の外周部によりシールされる。
【００５１】
突出部１４３は、蓋体１４０の外周部から突設され、ユーザが蓋体１４０を開く際にユーザの指等が掛けられる部分である。
【００５２】
上記で説明した容器１では、計量キャップ１３を利用することによって、容器本体１１の内部から液体８を計量して注出することができる。具体的には、まず、ユーザは、蓋体１４０を開き、容器１を計量キャップ１３が容器本体１１に対して鉛直上方に位置する姿勢にした状態で、容器本体１１のスクイズを開始する。それにより、容器本体１１の内部の液体８が、浸漬管９及び連通部１３３を介して供給され、吐出口５２から計量空間５１に向けて吐出される。その後、計量空間５１に液体８が満たされ、液体８の計量が完了した後、ユーザは、スクイズを終了し、容器１を計量キャップ１３が容器本体１１に対して鉛直上方に位置する姿勢から傾ける。それにより、計量空間５１に貯留されている液体８が、注出口５３から注出される。
【００５３】
［作用］
続いて、図４を参照して、本発明の第１の実施形態に係る容器１の作用について説明する。
【００５４】
上述したように、容器１内の液体８の詰め替え作業は、装着具である計量キャップ１３を容器本体１１から取り外し、計量キャップ１３が取り外された容器本体１１の口部１１０から新しい液体８を注入することによって行われる。
【００５５】
図４は、計量キャップ１３が容器本体１１から取り外れた状態における容器１を示す側面部分断面図である。なお、図４では、容器本体１１の内部に注入される新しい液体８の通過経路が、太線矢印によって示されている。
【００５６】
図４に示すように、計量キャップ１３が容器本体１１から取り外された状態において、浸漬管９は容器本体１１に固定部材１５を介して取り付けられている。ゆえに、計量キャップ１３を容器本体１１から取り外す際に、浸漬管９は、計量キャップ１３とともに容器本体１１から取り外されることなく、容器本体１１側に残る。よって、容器１内の液体８の詰め替え作業では、浸漬管９が容器本体１１に固定部材１５を介して取り付けられている状態で、新しい液体８の注入が行われる。
【００５７】
ここで、浸漬管９は、例えばリブ１６１を用いて固定部材１５の浸漬管固定部１６０の内周部に嵌合されて固定されている。一方、浸漬管９は、計量キャップ１３の連通部１３３の内周部に挿入されて嵌合されているものの、浸漬管９と連通部１３３との嵌め合いは、浸漬管９が連通部１３３から取り外されやすくなるように設定されている。ゆえに、浸漬管９と計量キャップ１３の連通部１３３との嵌め合いは、浸漬管９と固定部材１５の浸漬管固定部１６０との嵌め合いと比較して、弱くなっている。例えば上記のように各部材間の嵌め合いを適切に設定すること等によって、計量キャップ１３を容器本体１１から取り外す際に、浸漬管９を容器本体１１側に適切に残すことができる。
【００５８】
ユーザは、図４に示すように、新しい液体８を容器本体１１の内部に浸漬管９を介して注入することができる。具体的には、浸漬管９の上端の開口から浸漬管９の内部を通って容器本体１１の内部に新しい液体８を注入することができる。また、ユーザは、本実施形態に係る容器１では、図４に示すように、新しい液体８を容器本体１１の内部に固定部材１５の連通孔１９０を介して注入することができる。具体的には、固定部材１５の第２円筒部１５３と浸漬管９との間から連通孔１９０を通って容器本体１１の内部に新しい液体８を注入することができる。
【００５９】
上記のように、本実施形態に係る容器１では、容器本体１１の口部１１０には、浸漬管９が固定されている固定部材１５が止着されており、装着具である計量キャップ１３が容器本体１１から取り外された状態において、浸漬管９は容器本体１１に固定部材１５を介して取り付けられている。それにより、容器１内の液体８の詰め替え作業において、浸漬管９が計量キャップ１３とともに容器本体１１から取り外されることなく、計量キャップ１３を容器本体１１から取り外すことができる。ゆえに、浸漬管９が計量キャップ１３とともに容器本体１１から取り外されることに起因して、液体８により周囲が汚染されることを抑制することができる。例えば、取り外された計量キャップ１３が置かれる場所やユーザの手指等に浸漬管９を介して液体８が付着することを抑制することができる。さらに、容器本体１１の内部に新しい液体８を注入する際に装着具である計量キャップ１３が容器本体１１の口部１１０の近傍に位置している状況を回避することができる。ゆえに、計量キャップ１３が容器本体１１の口部１１０の近傍に位置している状態で容器本体１１の内部に新しい液体８を注入する必要があることに起因して、詰め替え作業を円滑に行うことが困難となることを抑制することができる。よって、本実施形態に係る容器１によれば、容器１内の液体８の詰め替え作業において、液体８により周囲が汚染されることを抑制しつつ、作業性を向上させることができる。
【００６０】
＜第２の実施形態＞
図５を参照して、本発明の第２の実施形態に係る容器２について説明する。
【００６１】
図５は、容器２を示す側面部分断面図である。
【００６２】
容器２では、上述した容器１と比較して、固定部材２５が容器本体２１の口部２２０の内周部に嵌合されて固定されている点で主に異なる。
【００６３】
図５に示すように、容器２は、容器本体２１と、計量キャップ１３とを備える。また、容器２では、上述した容器１と同様に、計量キャップ１３は容器本体２１の内部の液体８に浸漬される浸漬管９と接続されており、容器本体２１の口部２１０には浸漬管９が固定されている固定部材２５が止着されている。計量キャップ１３が容器本体２１から取り外された状態において、浸漬管９は容器本体２１に固定部材２５を介して取り付けられている。
【００６４】
容器本体２１は、上述した容器本体１１と同様に、口部２１０を有する中空形状の部材である。容器本体２１の内部には、液体８が収容される。口部２１０は、容器本体２１の上端部に設けられており、当該口部２１０に固定部材２５が止着されている。ここで、容器２では、口部２１０の外周部には、オネジ部が形成されており、当該オネジ部に計量キャップ１３の取付部１３６が螺合されて取り付けられる。それにより、計量キャップ１３が容器本体２１に装着される。
【００６５】
固定部材２５は、上述した固定部材１５と同様に、容器本体２１の口部２１０に止着されており、当該固定部材２５には浸漬管９が固定されている。ここで、容器２では、固定部材２５は、容器本体２１の口部２１０の内周部に嵌合されて固定されている。
【００６６】
固定部材２５は、具体的には、図５に示すように、口部固定部２５０と、浸漬管固定部１６０と、接続部１７０とを有する。このように、固定部材２５は、上述した固定部材１５と比較して、口部固定部の構成について異なる。
【００６７】
口部固定部２５０は、容器本体２１の口部２１０の内周部に嵌合されて固定されている。具体的には、口部固定部２５０は略円筒形状を有している。例えば、図５に示すように、口部２１０の内周部には、口部２１０の径方向内側に突設されている部分であるリブ２１１が設けられており、口部固定部２５０の外周部には、口部固定部２５０の径方向外側に突設されている部分であるリブ２５１が設けられている。そして、口部固定部２５０はこれらのリブを介して口部２１０の内周部に嵌合されて固定されている。なお、上記のリブの数及び配置は、特に限定されない。固定部材２５では、このような口部固定部２５０と浸漬管固定部１６０とが接続部１７０によって接続されている。そして、連通孔２９０が、口部固定部２５０と浸漬管固定部１６０との間に、接続部１７０により区画されて形成されている。
【００６８】
上記で説明した容器２では、上述した容器１と同様に、計量キャップ１３を利用することによって、容器本体２１の内部から液体８を計量して注出することができる。
【００６９】
上記のように、本実施形態に係る容器２では、上述した容器１と同様に、容器本体２１の口部２１０には、浸漬管９が固定されている固定部材２５が止着されており、計量キャップ１３が容器本体２１から取り外された状態において、浸漬管９は容器本体２１に固定部材２５を介して取り付けられている。よって、本実施形態に係る容器２によれば、上述した容器１と同様に、容器２内の液体８の詰め替え作業において、液体８により周囲が汚染されることを抑制しつつ、作業性を向上させることができる。
【００７０】
＜第３の実施形態＞
図６及び図７を参照して、本発明の第３の実施形態に係る容器３について説明する。
【００７１】
図６は、容器３を示す側面部分断面図である。
【００７２】
容器３では、上述した容器１と比較して、装着具としてディスペンサ３３が容器本体１１に装着されている点で主に異なる。
【００７３】
図６に示すように、容器３は、容器本体１１と、ディスペンサ３３とを備える。また、容器３では、ディスペンサ３３は容器本体１１の内部の液体８に浸漬される浸漬管９と接続されており、容器本体１１の口部１１０には浸漬管９が固定されている固定部材３５が止着されている。ディスペンサ３３が容器本体１１から取り外された状態において、浸漬管９は容器本体１１に固定部材３５を介して取り付けられている。ディスペンサ３３は、容器本体１１に装着され容器本体１１の口部１１０の開口を覆う装着具の一例に相当する。
【００７４】
固定部材３５は、上述した固定部材１５と同様に、容器本体１１の口部１１０に止着されており、当該固定部材３５には浸漬管９が固定されている。具体的には、容器３では、固定部材３５は、容器本体１１の口部１１０の外周部に嵌合されて固定されている。
【００７５】
固定部材３５は、具体的には、図６に示すように、口部固定部３５０と、浸漬管固定部３６０と、接続部３７０とを有する。また、口部固定部３５０は、具体的には、図６に示すように、第１円筒部３５１と、環状平板部３５２と、第２円筒部３５３とを含む。また、連通孔３９０が、口部固定部３５０と浸漬管固定部３６０との間に、接続部３７０により区画されて形成されている。第１円筒部３５１の外周部は口部固定部３５０の外周部に相当し、第１円筒部３５１の外周部にオネジ部が形成されている。そして、当該オネジ部にディスペンサ３３のキャップ３３３が螺合されて取り付けられる。
【００７６】
ここで、固定部材３５の各部分の機能及び形状は、上述した固定部材１５の各部分の機能及び形状と共通している。一方、固定部材３５の各部分の寸法は、上述した固定部材１５の各部分の寸法と異なる。具体的には、容器３では、容器本体１１の口部１１０に対する浸漬管９の上端の位置が、上述した容器１における口部１１０に対する浸漬管９の上端の位置と比較して、下方に位置している。それに伴い、容器３では、容器本体１１の口部１１０に対する浸漬管固定部３６０の位置が、上述した容器１における口部１１０に対する浸漬管固定部１６０の位置と比較して、下方に位置している。ゆえに、固定部材３５の上下方向の寸法は、上述した固定部材１５と比較して、長くなっている。
【００７７】
ディスペンサ３３は、容器本体１１の内部の液体８を吸引して吐出する装着具である。ディスペンサ３３としては、一般的に使用されているものを、制限なく用いることができる。
【００７８】
ディスペンサ３３は、具体的には、図６に示すように、ノズル３３１ａを有するヘッド３３１と、ヘッド３３１と接続されているステム３３２と、容器本体１１に取り付けられるキャップ３３３と、キャップ３３３と接続されているシリンダ３３４とを有する。
【００７９】
容器３では、ディスペンサ３３のヘッド３３１が上下動することによって、容器本体１１の内部の液体８を、シリンダ３３４内に浸漬管９を介して吸引し、ステム３３２及びヘッド３３１の内部流路を通ってノズル３３１ａから吐出することができる。
【００８０】
キャップ３３３は、固定部材３５を介して容器本体１１に取り付けられ、容器本体１１の口部１１０の開口を覆う。具体的には、キャップ３３３は、下端に開口を有する略円筒形状を有し、キャップ３３３の内周部にはメネジ部が形成されている。当該メネジ部が固定部材３５の口部固定部３５０の外周部のオネジ部に螺合されることによって、ディスペンサ３３が固定部材３５を介して容器本体１１に装着される。
【００８１】
シリンダ３３４は、略円筒形状を有しており、キャップ３３３と接続され、口部１１０の径方向において口部１１０より内側で口部１１０の中心軸上に配置される。シリンダ３３４は、容器本体１１の口部１１０の内側から下方に延在する。浸漬管９の上端部は、シリンダ３３４の下端の開口から挿通されてシリンダ３３４に挿入される。
【００８２】
ステム３３２は、略円筒形状を有しており、シリンダ３３４の内部においてシリンダ３３４と同軸上に配置される。ステム３３２の内部流路は、ステム３３２とシリンダ３３４との間の空間と連通している。ステム３３２とシリンダ３３４との間には、液体８の流動方向をステム３３２とシリンダ３３４との間の空間からステム３３２の内部流路へ向かう一方向に制限する弁が設けられている。シリンダ３３４の内部にはバネが設けられており、ステム３３２は当該バネにより上方向に付勢されている。
【００８３】
ヘッド３３１は、キャップ３３３より上方に配置され、ステム３３２の上端部と接続されている。ヘッド３３１の内部流路は、ステム３３２の内部流路と連通しており、ヘッド３３１には、ヘッド３３１の内部流路に送られた液体８を吐出するノズル３３１ａが設けられている。
【００８４】
上記で説明した容器３では、ディスペンサ３３を利用することによって、容器本体１１の内部の液体８を吸引して吐出することができる。具体的には、ヘッド３３１を１回又は複数回上下動させることによって、シリンダ３３４内に液体８が吸引された状態になる。その後、ヘッド３３１がユーザの指等により押し下げられると、ステム３３２がシリンダ３３４に対して下方に移動することによって、シリンダ３３４内の液体８が加圧される。それにより、ステム３３２とシリンダ３３４との間に設けられた弁が開き、シリンダ３３４内の液体８がステム３３２及びヘッド３３１の内部流路を通ってノズル３３１ａから吐出される。次に、ヘッド３３１の押下が終了すると、ステム３３２がバネにより付勢されてシリンダ３３４に対して上方に移動することによって、シリンダ３３４内が減圧される。それにより、ステム３３２とシリンダ３３４との間に設けられた弁が閉じ、容器本体１１の内部の液体８がシリンダ３３４内に浸漬管９を介して吸引される。
【００８５】
上述したように、容器３内の液体８の詰め替え作業は、装着具であるディスペンサ３３を容器本体１１から取り外し、ディスペンサ３３が取り外された容器本体１１の口部１１０から新しい液体８を注入することによって行われる。
【００８６】
図７は、ディスペンサ３３が容器本体１１から取り外れた状態における容器３を示す側面部分断面図である。なお、図７では、容器本体１１の内部に注入される新しい液体８の通過経路が、太線矢印によって示されている。
【００８７】
図７に示すように、ディスペンサ３３が容器本体１１から取り外された状態において、浸漬管９は容器本体１１に固定部材３５を介して取り付けられている。ゆえに、ディスペンサ３３を容器本体１１から取り外す際に、浸漬管９は、ディスペンサ３３とともに容器本体１１から取り外されることなく、容器本体１１側に残る。よって、容器１内の液体８の詰め替え作業では、浸漬管９が容器本体１１に固定部材３５を介して取り付けられている状態で、新しい液体８の注入が行われる。
【００８８】
上述した容器１と同様に、ユーザは、図７に示すように、新しい液体８を容器本体１１の内部に浸漬管９を介して注入することができる。また、ユーザは、図７に示すように、新しい液体８を容器本体１１の内部に固定部材３５の連通孔３９０を介して注入することができる。
【００８９】
上記のように、本実施形態に係る容器３では、容器本体１１の口部１１０には、浸漬管９が固定されている固定部材３５が止着されており、装着具であるディスペンサ３３が容器本体１１から取り外された状態において、浸漬管９は容器本体１１に固定部材３５を介して取り付けられている。それにより、容器３内の液体８の詰め替え作業において、浸漬管９がディスペンサ３３とともに容器本体１１から取り外されることなく、ディスペンサ３３を容器本体１１から取り外すことができる。さらに、容器本体１１の内部に新しい液体８を注入する際に装着具であるディスペンサ３３が容器本体１１の口部１１０の近傍に位置している状況を回避することができる。よって、本実施形態に係る容器３によれば、上述した容器１と同様に、容器３内の液体８の詰め替え作業において、液体８により周囲が汚染されることを抑制しつつ、作業性を向上させることができる。
【００９０】
以上、添付図面を参照しながら本発明の好適な実施形態について詳細に説明したが、本発明は係る例に限定されない。本発明の属する技術の分野における通常の知識を有する者であれば、特許請求の範囲に記載された技術的思想の範疇内において、各種の変更例又は応用例に想到し得ることは明らかであり、これらについても、当然に本発明の技術的範囲に属するものと了解される。
【００９１】
例えば、上記では、容器本体に装着具として計量キャップ１３又はディスペンサ３３が装着される例を説明したが、容器本体に装着される装着具は、上記の例に限定されず、例えば、レバーを回動させることにより容器本体の内部の液体を吐出する回動方式のディスペンサ等であってもよい。
【００９２】
また、例えば、容器本体１１，２１及び固定部材１５，２５，３５の材質は特に限定されず、例えば、樹脂製であってもよく、樹脂以外の他の材料によって形成されてもよい。また、計量キャップ１３及びディスペンサ３３を構成する各部材の材質は特に限定されず、例えば、樹脂製であってもよく、樹脂以外の他の材料によって形成されてもよい。また、計量キャップ１３及びディスペンサ３３は、互いに異なる材料からなる複数の部材によって構成されてもよい。
【００９３】
また、例えば、容器本体１１，２１及び固定部材１５，２５，３５の形状は、上記の例に特に限定されない。例えば、容器本体１１，２１の形状は、回転対称な形状であってもよく、回転対称な形状でなくてもよい。また、例えば、固定部材１５，２５，３５の口部固定部１５０，２５０，３５０及び浸漬管固定部１６０，３６０の形状は、回転対称な形状であってもよく、回転対称な形状でなくてもよい。また、例えば、固定部材１５，２５，３５の接続部１７０，３７０は、回転対称に配置されていてもよく、回転対称に配置されていなくてもよい。
【００９４】
また、例えば、固定部材１５，２５，３５の各構成要素は、同一の部材によって形成されていてもよく、別部材によってそれぞれ形成されていてもよい。
【００９５】
また、例えば、容器１，２，３における各部材間の固定方法は、上記の例に特に限定されない。例えば、浸漬管固定部１６０の構成からリブ１６１が省略され、浸漬管固定部１６０にＣリング等の環状部材が追加的に固定されていてもよい。その場合、例えば、当該環状部材は、浸漬管固定部１６０と同軸上に配置され、浸漬管９は、当該環状部材を貫通した状態で当該環状部材に挟持されることによって浸漬管固定部１６０に固定される。また、例えば、上記では、容器１において、口部１１０の外周部に複数のリブが設けられる例を説明したが、第１円筒部１５１の内周部に複数のリブが設けられ、当該複数のリブと口部１１０の外周部とが当接した状態で第１円筒部１５１が口部１１０に固定されてもよい。また、例えば、容器２において、上記では、口部２１０の内周部及び口部固定部２５０の外周部の双方にリブが設けられる例を説明したが、口部２１０の内周部及び口部固定部２５０の外周部の一方にリブが設けられていてもよい。
【符号の説明】
【００９６】
１，２，３  容器
８  液体
９  浸漬管
１１，２１  容器本体
１３  計量キャップ
３３  ディスペンサ
５１  計量空間
５２  吐出口
５３  注出口
１１０，２１０  口部
１５，２５，３５  固定部材
１５０，２５０，３５０  口部固定部
１６０，３６０  浸漬管固定部
１７０，３７０  接続部
１９０，２９０，３９０  連通孔
１３０  キャップ本体
１３１  底壁部
１３２  周壁部
１３３  連通部
１３４  天板部
１３５  注出口部
１３６  取付部
１４０  蓋体
１４１  第１嵌合部
１４２  第２嵌合部
１４３  突出部
３３１  ヘッド
３３２  ステム
３３３  キャップ
３３４  シリンダ
【図１】
2020029286.tif 000003
【図２】
2020029286.tif 000004
【図３】
2020029286.tif 000005
【図４】
2020029286.tif 000006
【図５】
2020029286.tif 000007
【図６】
2020029286.tif 000008
【図７】
2020029286.tif 000009